(57)【要約】【課題】手の不自由な身障者等にとって使い勝手が良くなるよう、紙送りの自動化と、ロールペーパー交換の簡単化、容易化、迅速化を図る。【解決手段】ロールペーパー１を芯１ａを横にして収納させる本体部２と、この本体部２の上面を塞ぐ蓋３とを備えてなる。本体部２の前側に、蓋３の前端部３ａと接触するローラを、ロールペーパー１の芯１ａの配置方向に沿って横架する。このローラ４を回転させてロールペーパー１の引き出し端１ｂを送り出すモータ５を、本体部２に設ける。又ロールペーパー１を支持する平行一対の支持棒１０を、本体部２の下部にロールペーパー１の芯１ａの配置方向に沿って、且つ支持棒１０同士の間隔をロールペーパー１の芯１ａの直径より小さい状態で横架する。後側の支持棒１０を、蓋３の開き動作に連動してロールペーパー１の直径の範囲内で後退動作自在に形成する。【選択図】      図１
2004261505.tif 000002
【特許請求の範囲】
【請求項１】
ロールペーパーが芯を横にして収納される本体部と、この本体部の上面を塞ぐ蓋とを備えてなるトイレットペーパーホルダーであって、本体部の前側に、蓋の前端部と接触するローラがロールぺーパーの芯の配置方向に沿って横架され、このローラを回転させてロールペーパーの引き出し端を送り出すモータが本体部に設けられ、又ロールペーパーを支持する平行一対の支持棒が本体部の下部にロールペーパーの芯の配置方向に沿って、且つ支持棒同士の間隔がロールペーパーの芯の直径より小さい状態で横架され、後側の支持棒が蓋の開き動作に連動してロールペーパーの直径の範囲内で後退動作自在に形成されていることを特徴とするトイレットペーパーホルダー。
【請求項２】
請求項１記載のトイレットペーパーホルダーであって、後側の支持棒がリンク機構により蓋の開き動作に連動して後退動作自在に形成され、上記のリンク機構が蓋の枢着軸の端部に固定されているフランジと、このフランジに上端が枢着されていると共に下端が後側の支持棒の端部に枢着されているリンク部材とで形成されていることを特徴とするトイレットペーパーホルダー。
【請求項３】
請求項２記載のトイレットペーパーホルダーであって、リンク機構が、蓋の枢着軸を所定角度回転させる蓋開閉動作用モータを備えて形成されていることを特徴とするトイレットペーパーホルダー。
【発明の詳細な説明】
【０００１】
【発明の属する技術分野】
本発明は、トイレットペーパーホルダーに関し、更に詳しくは紙の送り出しを自動化し、手の不自由な障害者や老人、幼児等が楽にペーパーを引き出すことができるよう形成したトイレットペーパーホルダーに関するものである。
【０００２】
【従来の技術】
従来この種のホルダーとしては、例えば一対のローラを平行状に接し合わせ、このローラの間にロールペーパーの引き出し端を挟み込み、ローラの一方をモータで回転してペーパーを送り出すよう形成しているものがある（例えば特許文献１、同２参照）。
【０００３】
【特許文献１】
特開平１０ー２４８７４５号公報
【特許文献２】
実公平２ー４７８９４号公報
【０００４】
【発明が解決しようとする課題】
従来品は、上記の通り、例えば一対のローラの間にロールペーパーの引き出し端を通してセットする必要があったから、従来品によるとロールペーパーの交換に手間暇がかかる、という不利益があった。
又従来品は、ロールペーパーの交換時に、先ず蓋を開け、次にロールペーパーの芯を取り出し、その後ホルダーの軸にロールペーパーの芯を嵌め入れ、新しいロールペーパーをセットし直す必要があった。従って例えば手が不自由な人の場合、従来品によるとロールペーパーの交換が困難になり、使い勝手が悪いものであった。
【０００５】
本発明は、このような従来の問題点に鑑み、提案されたものである。
従って本発明の技術的課題は、手の不自由な身障者等にとって使い勝手が良くなるよう、紙送りを自動化できるよう形成すると共に、ロールペーパーの交換を簡単化、容易化、迅速化できるよう形成したトイレットペーパーホルダーを提供することにある。
【０００６】
【課題を解決するための手段】
本発明は、上記の課題を解決するために、次のような技術的手段を採る。
【０００７】
即ち本発明は、図１等に示されるように、ロールペーパー１が芯１ａを横にして収納される本体部２と、この本体部２の上面を塞ぐ蓋３とを備えてなるトイレットペーパーホルダーであって、本体部２の前側に、蓋３の前端部３ａと接触するローラ４がロールペーパー１の芯１ａの配置方向に沿って横架され、このローラ４を回転させてロールペーパー１の引き出し端１ｂを送り出すモータ５が本体部２に設けられ、又ロールペーパー１を支持する平行一対の支持棒１０が本体部２の下部にロールペーパー１の芯１ａの配置方向に沿って、且つ支持棒１０同士の間隔がロールペーパー１の芯１ａの直径より小さい状態で横架され、後側の支持棒１０が蓋３の開き動作に連動してロールペーパー１の直径の範囲内で後退動作自在に形成されていることを特徴とする（請求項１）。
【０００８】
ここで、ロールペーパー１の芯１ａの直径より小さい状態で、とは、紙が全て送り出されてロールペーパー１が芯１ａだけになっても、蓋３が開かれない限り、芯１ａは支持棒１０で支持され、落下が防止される、ということを意味する。又ロールペーパー１の直径の範囲内で、とは、蓋３を開いて新しいロールペーパー１を本体部２内に投入したとき、ロールペーパー１が落下することなく支持棒１０で支持されて収納される、ということを意味する。
【０００９】
又本発明は、後側の支持棒１０がリンク機構１１により蓋３の開き動作に連動して後退動作自在に形成され、上記のリンク機構１１が蓋３の枢着軸１２の端部に固定されているフランジ１１ａと、このフランジ１１ａに上端１１ｂ１が枢着されていると共に下端１１ｂ２が後側の支持棒１０の端部に枢着されているリンク部材１１ｂとで形成されているのが好ましい（請求項２）。
【００１０】
なぜならこれによると、簡単な構成、少ない部品により後側の支持棒１０の後退動作が可能になるからである。但し本発明は、例えば蓋３の枢着軸１２と後側の支持棒１０とを歯車伝動機構で連結し、歯車の組み合わせで蓋３の開閉動作に連動して後側の支持棒１０を後退動作させるのでも良い。
【００１１】
又この場合本発明は、リンク機構１１が、蓋３の枢着軸１２を所定角度回転させる蓋開閉動作用モータ１４を備えて形成されているのでも良い（請求項３）。
【００１２】
なぜならこれによると、電動で蓋３を開閉させて芯１ａを落下させることができ、手の不自由な人にとって、一層使い勝手が良くなるからである。この場合、蓋開閉動作用モータ１４の蓋開閉動作スイッチは、手で操作しなくても済むよう、光電スイッチ等の非接触形式のスイッチで構成されるのが好ましい。
【００１３】
【発明の実施の形態】
以下、本発明の好適な一実施形態を添付図面に従って説明する。
【００１４】
本発明は、図１等に示されるように、ロールペーパー１が芯１ａを横にして収納される本体部２と、この本体部２の上面を塞ぐ蓋３とを備えてなる。
【００１５】
４は、蓋３の前端部３ａと接触するローラである。このローラ４は、本体部２の前側に、ロールペーパー１の芯１ａの配置方向に沿って横架されている。５は、このローラ４を回転させてロールペーパー１の引き出し端１ｂを送り出すモータである。このモータ５は、本体部２の側部の内部スペース６に回転軸５ａ（図２参照）を上向きにして設けられている。７は、モータ５の回転軸５ａに取り付けられているウォームである。このウォーム７は、ローラ４の一端部に設けられているウォームホイール８と噛み合わされている。９は、モータ５の駆動用スイッチである。
【００１６】
１０は、ロールペーパー１を支持する平行一対の支持棒である。この支持棒１０は、本体部２の下部にロールペーパー１の芯１ａの配置方向に沿って、且つ支持棒１０同士の間隔がロールペーパー１の芯１ａの直径より小さい状態で横架されている。そしてこの実施形態の本発明の場合、後側の支持棒１０は、リンク機構１１により蓋３の開き動作に連動してロールペーパー１の直径の範囲内で後退動作自在に形成されている。
【００１７】
上記のリンク機構１１は、蓋３の枢着軸１２の端部に固定されているフランジ１１ａと、このフランジ１１ａに上端１１ｂ１が枢着されると共に、下端１１ｂ２が後側の支持棒１０の端部に枢着されているリンク部材１１ｂとで形成されている。１３は、後側の支持棒１０の端部を案内するため、本体部２の各側板２ａに夫々形成されているスリットである。後側の支持棒１０の各端部は、このスリット１３を介して内部スペース６に突き出され、リンク部材１１ｂを介してフランジ１１ａに連結されている。又１４は、蓋３の枢着軸１２を所定角度回転させる蓋開閉動作用モータである。この蓋開閉動作用モータ１４は、この実施形態では枢着軸１２の中央位置に、軸１４ａ（図２参照）を上向きにして設けられている。又この蓋開閉動作用モータ１４は、軸１４ａにウォーム１５が設けられ、このウォーム１５は、枢着軸１２の対応位置に固定されているウォームホイール１６と噛み合わされている。蓋開閉動作用モータ１４は、蓋開閉動作用スイッチ１７のオンオフにより正逆回転し、蓋３を開閉すると共に、フランジ１１ａを所定角度回してリンク部材１１ｂを上下動させ、後側の支持棒１０を前進、後退動作させるよう構成されている。
【００１８】
なお１８は、ロールペーパー１の受け板である。この受け板１８は、ロールペーパー１の周面が当接するよう、側板２ａに、前後一対状に横架されている。又この受け板１８は、ロールペーパー１の残量を本体部２の前方等から視認し易いよう、この実施形態では透明のアクリル板で形成されている。ロールペーパー１は、この受け板１８によって安定した姿勢で円滑に引き出すことが可能になる。
【００１９】
次に本発明品の作用を説明する。
【００２０】
先ず、モータ５の駆動用スイッチ９を入れる。すると、モータ５が、例えば設定時間だけ駆動する。従ってウォーム７は、回転軸５ａを中心にした縦軸回転がウォームホイール８により横軸を中心にした回転に変換され、ウォームホイール８が取り付けられているローラ４が回転する。するとローラ４は、蓋３の前端部３ａで押さえられているロールペーパー１の引き出し端１ｂを、ペーパーとの摩擦で前方へ一定の長さだけ送り出す。送り出されたペーパーは、自動又は手動で切断して使用する。この実施形態の本発明では、蓋３が閉じられているときは固定されるから、手動の場合、ペーパーを片手で切断し易くなる。
【００２１】
そして本発明の場合、ペーパーが全て送り出されて芯１ａだけになると、芯１ａは支持棒１０で支持され、落下することなく本体部２内にそのまま残される。次にこの状態で蓋開閉動作用スイッチ１７をオンにすると、蓋開閉動作用モータ１４が例えば設定時間だけ駆動する。これによりウォーム１５の縦軸回転がウォームホイール１６で横軸回転に変換され、枢着軸１２が所定角度本体部２の後方に回転する。するとフランジ１１ａの回転に連れてリンク部材１１ｂが引き上げられ、リンク部材１１ｂを介して後側の支持棒１０がスリット１３に案内されながら斜め後方に引き上げられて後退する。この結果支持棒１０同士の間隔が芯１ａの直径より大きくなり、芯１ａが落下し除去される。なお落下する芯１ａは、例えば本体部２の下側に、予備ロールペーパー１の収納部を設けておき、この収納部で回収するのが好ましい。
【００２２】
次に使用者は、蓋３が全開している状態で、新しいロールペーパー１を本体部２に投入する。本発明品の場合、後側の支持棒１０の後退距離は、上記の通り、ロールペーパー１の直径の範囲内に選定されている。従って本体部２内に投入したロールペーパー１は、一対の支持棒１０で支持され、落下することなく本体部２に収納される。そして使用者は、ロールペーパー１の引き出し端１ｂを、ローラ４に被せて前方に少し引き出し、蓋開閉動作用スイッチ１７を再度入れる。この実施形態の場合、蓋３が全開時に蓋開閉動作用スイッチ１７がオンになると、蓋開閉動作用モータ１４が一定時間逆回転し、枢着軸１２を所定角度下方に回転させる。この結果リンク部材１１ｂが押し下げられ、後側の支持棒１０がスリット１３に案内されて前進し、当初の位置に復帰する。又同時に、枢着軸１２に連結されている蓋３が前方に回転して倒伏し、本体部２の開口面を閉じ、前端部３ａがロールペーパー１の引き出し端１ｂを介してローラ４の周面を当圧する。
【００２３】
【発明の効果】
以上説明したように本発明は、蓋の前端部とローラとでロールペーパーの引き出し端を挟んだ状態でペーパーの送り出しを自動化できるようにすると共に、紙切れ時にロールペーパーの芯の落下を平行一対の支持棒で防止し、蓋の開閉動作に連動させて芯を落下回収できるよう形成しているものである。
従って本発明を使用すれば、例えば手の不自由な人や身障者等が楽にトイレットペーパーを引き出すことができ、又ロールペーパーの交換を簡単化、容易化、迅速化できる。
【図面の簡単な説明】
【図１】本発明のホルダーの好適な一実施形態を示す一部を切欠した要部斜視図である。
【図２】同上ホルダーの正面図である。
【図３】図２のＩＩＩ―ＩＩＩ線における要部断面図である。
【図４】同上ホルダーの作用を説明するための流れ図である。
【符号の説明】
１    ロールペーパー
１ａ  芯
１ｂ  引き出し端
２    本体部
３    蓋
３ａ  前端部
４    ローラ
５    モータ
１０  支持棒
【図１】
2004261505.tif 000003
【図２】
2004261505.tif 000004
【図３】
2004261505.tif 000005
【図４】
2004261505.tif 000006